(57)【要約】【課題】ドライ・クリーニングにおいて素材の表面に付着してその素材を保護するとともに、洗浄力を向上させる作用も併せ持つ付着剤を提供する。【解決手段】有用微生物群（Effective Micro-organisms。以下「ＥＭ」という。）が生息する培養液（以下「ＥＭ原液」という。）に、樹木及び草本から抽出される植物エキス抽出液、並びに海洋深層水の天然ミネラルを含む深層水活力剤を混合して付着剤とする。植物エキス抽出液に含まれる植物性油脂成分が素材を保護する。また、植物エキス抽出液と深層水活力剤により各種酵素の代謝物の生産が活性化され洗浄力が向上する。【選択図】        なし【特許請求の範囲】
【請求項１】
有用微生物群（Effective Micro-organisms。以下「ＥＭ」という。）が生息する培養液（以下「ＥＭ原液」という。）に、樹木及び草本から抽出される植物エキス抽出液、並びに海洋深層水の天然ミネラルを含む深層水活力剤を混合してなる付着剤。
【請求項２】
前記植物エキス抽出液は、マツの葉、タケ又はササの桿、及びミカンの葉に水を加えて煮沸することにより抽出された抽出液であることを特徴とする請求項１記載の付着剤。
【請求項３】
前記植物エキス抽出液は、スギ、ヒノキ、マツ、及びオオバコのエキスを抽出生成した抽出液であることを特徴とする請求項１記載の付着剤。
【請求項４】
前記ＥＭ原液は、糖蜜及び米糠が溶解された水溶液中に、少なくとも放線菌に属する微生物、光合成細菌に属する微生物、乳酸菌に属する微生物、糸状菌に属する微生物及び酵母に属する微生物を含む微生物群が生息している培養液であることを特徴とする請求項１乃至３の何れか一記載の付着剤。
【請求項５】
前記深層水活力剤は、「深層水活力剤」（商品名；アイリスオーヤマ株式会社製）であることを特徴とする請求項１乃至４の何れか一記載の付着剤。
【請求項６】
請求項１乃至４の何れか一記載の付着剤、及びドライ・ソープを含有するドライ・クリーニング用洗剤。
【発明の詳細な説明】
【技術分野】
【０００１】
本発明は、ドライ・クリーニング等において素材の表面に付着して素材を保護するのに使用される付着剤と、それを用いたドライ・クリーニング技術に関する。
【背景技術】
【０００２】
一般に、ドライ・クリーニングでは、石油系溶剤（炭化水素化合物）、塩素化炭化水素溶剤（パークロロエチレン、トリクロロエタン等）、フッ化炭化水素化合物（フロン１１３等）などの揮発性の有機溶剤を使い、衣類に付いている油性の汚れを溶かしだして繊維から分離し、溶剤中に汚れを浮遊させることによって衣類を洗浄する（例えば、特許文献１の〔従来の技術〕参照）。このような有機溶剤で洗うドライ・クリーニングは、水で洗う場合に比べると、衣類の収縮や型くずれ、色落ち、風合いの変化が少ないなどの特徴を有する。
【０００３】
しかしながら、洗濯物の素材によっては特定の有機溶剤に侵されることもあり、ドライ・クリーニングで有機溶剤を使い分けることが必要な場合や、ドライ・クリーニングが適さない場合もある。さらに、ドライ・クリーニングにおいても、洗濯物を洗濯機で攪拌するため、ボタンの割れ、チャックの損傷、風合いや色合いの若干の低下が生じる。
【０００４】
そこで、洗濯物の傷みを抑えることを目的として、種々のドライ・クリーニング用助剤が考案されている。
【０００５】
例えば、非特許文献２には、オレイン酸１００部と、キシレン４０〜８０部と、界面活性剤２０〜７０部と、メタノール２０〜７０部と、抗菌剤１５〜２９部と、アンモニア５〜１５部と、ラノリン３〜１０部と、スクアラン１〜５部とから成るドライ・クリーニング用助剤が記載されている。この助剤は、各種良質の脂肪成分を主体として含有しており、これらの脂肪成分が動物性繊維の表面に薄い油膜を作って光沢を増し、つやを出し、ヌメリ感を出す。また、この油膜がボタン、スパンコール、アクセサリー等の付属品の表面が溶剤により変質することを防止し、輝きを増すのに寄与する。また、界面活性剤は、洗濯物の生地の柔軟化、帯電防止に寄与する。
【０００６】
一方、近年、微生物が生産する各種酵素を利用してドライ・クリーニングにおける洗浄力を向上させる技術として、ＥＭ菌配合ソープが開発されている（非特許文献１参照）。ＥＭ菌配合ソープは、石油系ドライ・ソープにＥＭ菌と抗酸化マイナスイオン水を配合したものである。ここで、「ＥＭ」とは、有用微生物群（Effective Micro-organisms）の略称で、自然界に存在する農業生産に有効な乳酸菌、酵母、放線菌、光合成菌、麹菌、糸状菌等の微生物及びその代謝物である酵素等からなり、１０属８０種以上の微生物を含む微生物群をいう（特許文献３参照）。このように、ＥＭ菌を石油系ドライ・ソープに混合すると、ＥＭ菌が生産する各種の酵素の作用によって、衣類に対しては、洗浄力の向上、逆汚染率低下による冴え向上、風合いの向上、無臭化（ゾール臭）、衣類のヘドロ臭が消える、虫食いの減少、黄ばみの減少等の効果が得られることが非特許文献１に記述されている。
【特許文献１】特開平６−３２７８８８号公報
【特許文献２】特開平６−３０６３９８号公報
【特許文献３】特許第２９１１０７６号
【特許文献４】特開２００３−１４７３９３号公報
【非特許文献１】株式会社ツーエム化成，「ＥＭ菌配合ソープ」，［online］，株式会社ツーエム化成，［２００５年１月６日検索］，インターネット＜http://www.aa.alpha-net.ne.jp/mminfo/syoukai/dry/em-soap/EM-SOAP.pdf＞
【発明の開示】
【発明が解決しようとする課題】
【０００７】
上記ＥＭ菌配合ソープは、洗浄力を向上させるとともに、洗濯物の風合い等の仕上がりがよくなるため、ドライ・クリーニングにおける洗浄剤としては非常に優れたものである。しかしながら、例えば、合成皮革・レザー・皮のような皮製品を洗浄する場合などは、何回か洗浄すると油分が抜けてカサカサな状態となり、早く傷みが生じやすい状態になる。
【０００８】
一方、上記特許文献２に記載のドライ・クリーニング用助剤をＥＭ菌配合ソープと組み合わせて使用する場合、ドライ・クリーニング用助剤に含まれる抗菌剤がＥＭ菌を死滅させてしまい、せっかくのＥＭ菌配合ソープの優れた効果を相殺してしまう。
【０００９】
そこで、本発明の目的は、ドライ・クリーニング、ランドリー、水洗等の洗濯において素材の表面に付着してその素材を保護するとともに、洗浄力を向上させる作用も併せ持つ付着剤を提供することにある。また、本発明の目的は、そのような付着剤を用いて洗濯物の表面を保護しつつ高い洗浄効果を得ることが可能なドライ・クリーニング用洗剤を提供することにある。
【課題を解決するための手段】
【００１０】
本発明に係る付着剤は、有用微生物群（Effective Micro-organisms。以下「ＥＭ」という。）が生息する培養液（以下「ＥＭ原液」という。）に、樹木及び草本から抽出される植物エキス抽出液、並びに海洋深層水の天然ミネラルを含む深層水活力剤を混合してなる。
【００１１】
このように、ＥＭ原液に植物エキス抽出液を混合することにより、ＥＭ原液中に生息する各種有用微生物が活性化され、各種の酵素等の代謝物の生産が活性化される。これらの酵素は、洗濯物に付着した汚れを分解し優れた洗浄効果を示す。従って、酵素等の代謝物生産が活性化されることで洗浄力が増加する。また、樹木及び草本から抽出される植物エキスに含まれる植物性油脂成分が、洗濯物の表面をコーティングすることによって、洗濯中に洗濯物が傷むことが防止される。また、海洋深層水の天然ミネラルを含む深層水活力剤を混合することにより、洗濯物をコーティングした植物性油脂成分が容易に脱離しにくくなり、洗濯物の傷みが効果的に防止される。
【００１２】
ここで、「有用微生物群（ＥＭ）」とは、自然界に存在する農業生産に有効な乳酸菌、酵母、放線菌、光合成菌等の微生物及びその代謝物である酵素等からなり、１０属８０種以上の微生物を含む培養液であって、その中で光合成菌が微生物群を一定の方向（蘇生型）に働かせる性質をもっているものをいう。このような多種多様の微生物が互いに共存共栄し、連動し合い、相乗効果を発揮する仕組みになっている（特許文献３参照）。
【００１３】
ＥＭ原液としては、有限会社サン興産業製商品名：MSK101，MSK102，MSK103等を使用することができる。また、これらの市販のＥＭ原液をサトウキビの粉末及び蜂蜜を溶解した水溶液に等量添加したＥＭ菌培養液を作り、米のとぎ汁１００容量部に対してこのＥＭ菌培養液を２０〜４０容量部添加して攪拌混合し１〜３日養生することによって生成されたＥＭ原液を使用することもできる。
【００１４】
「海洋深層水の天然ミネラル」は、マグネシウム、カルシウム、ナトリウム、カリウム等の海洋深層水に含まれる天然のミネラル成分をいう。
【００１５】
また、本発明において、前記植物エキス抽出液は、マツの葉、タケ又はササの桿、及びミカンの葉に水を加えて煮沸することにより抽出された抽出液を使用することができる。
【００１６】
植物エキス抽出液として、このような抽出液を使用することで、付着剤による洗濯物の保護作用、風合い向上の作用が特によく現れる。
【００１７】
また、本発明において、前記植物エキス抽出液は、スギ、ヒノキ、マツ、及びオオバコのエキスを抽出生成した抽出液を使用することができる。
【００１８】
ここで、「スギ、ヒノキ、マツ、及びオオバコのエキスを抽出生成した植物エキス抽出液」としては、「ＨＢ１０１」（商品名；株式会社フローラ製）などを使用することができる。
【００１９】
また、本発明において、前記ＥＭ原液は、糖蜜及び米糠が溶解された水溶液中に、少なくとも放線菌に属する微生物、光合成細菌に属する微生物、乳酸菌に属する微生物、糸状菌に属する微生物及び酵母に属する微生物を含む微生物群が生息している培養液を用いることができる。
【００２０】
また、本発明において、前記深層水活力剤は、「深層水活力剤」（商品名；アイリスオーヤマ株式会社製）を用いることができる。
【００２１】
本発明に係るドライ・クリーニング用洗剤は、上記付着剤、及びドライ・ソープを含有することを特徴とする。
【発明の効果】
【００２２】
本発明によれば、以下のような効果が得られる。
【００２３】
（１）ドライ・クリーニング、ランドリー、水洗等の洗濯を行った場合に洗濯物が傷まない。本発明の付着剤を用いることにより、洗濯物の表面が植物性の油膜で保護されて、洗濯物が傷むことが防止される。
【００２４】
（２）皮製の衣類であっても、現物のままドライ・クリーニングを行うことが可能となる。従来、ドライ・クリーニングにおいて皮製衣類をそのまま洗濯すると、油が抜けて乾涸らびた状態となり、衣類が傷んでしまう。しかし、本発明の付着剤を用いることにより、皮革の表面が保護されて油抜けが防止されるため、衣類を傷めることなくそのまま洗濯を行うことができる。
【００２５】
（３）洗濯後に、洗濯した衣類の風合、柔軟性が増す。
【００２６】
（４）アイロンプリントが貼付された衣類であってもドライ・クリーニングを行うことが可能となる。
【００２７】
（５）塩化ビニル樹脂（サテン生地のようなエナメル質の生地）であっても、ドライ・クリーニングを行うことが可能となる。従来、塩化ビニル樹脂製の衣類は、２〜３回ドライ・クリーニングを行うとひび割れが入ったり生地の表面が剥がれたりするため、そのままドライ・クリーニングを行うことができなかった。しかし、本発明の付着剤を用いることにより、サテン生地の表面が保護されて、サテン生地の衣類であっても生地を傷めることなくドライ・クリーニングを行うことが可能となる。
【００２８】
（６）ドライ洗浄液の酸化・劣化が起こりにくくなり、ドライ洗浄液の再利用回数を増やすことができる。ドライ洗浄液は、一度ドライ・クリーニングに使用した後にフィルターによる濾過等の再生を行って再利用がされる。しかし、洗濯物に付着する脂肪酸がドライ洗浄液に溶出する等の原因により、次第に酸化・劣化するため、再使用の回数には限界がある。従来のドライ洗浄液では、通常は約２００回程度の再利用を行うことが可能である。しかし、本発明のドライ・クリーニング用洗剤を用いることにより、通常の場合で約６００回の再利用を行うことが可能となることが実験的に明らかとなった。
【００２９】
（７）尚、本発明に係る付着剤は、植木などの植物の害虫を忌避するために散布する散布剤としても使用することができ、この付着剤を植木などに散布すると、植木などに付着して害虫を忌避する効果も見られる。
【発明を実施するための最良の形態】
【００３０】
以下、本発明を実施するための最良の形態について、図面を参照しながら説明する。
【実施例１】
【００３１】
本発明の実施例１に係る付着剤は、次のようにして製造された。
【００３２】
（１）３０〜６０℃の水１００ｃｃに対して、サトウキビの粉末７００〜８００ｇと蜂蜜９００〜１０００ｇを加えて攪拌混合し、培養液を作る。
【００３３】
（２）この培養液２００ｃｃに対して、市販のＥＭ菌溶液１５０〜２５０ｃｃを添加して混合し、混合溶液を作る。市販のＥＭ菌溶液は、糖蜜、米糠等の培養液に、抗酸性で乳酸を生産し酪酸を生産せず病原性を有さずかつ拮抗価５０以上の微生物からなる微生物群であって、少なくとも放線菌に属する微生物、光合成細菌に属する微生物、乳酸菌に属する微生物、糸状菌に属する微生物及び酵母に属する微生物を含む微生物群を混合したものである。かかる市販のＥＭ菌溶液としては、ＥＭ研究所製の商品名「EM1号」、「EM2号」、「EM3号」、有限会社サン興産業製の商品名「サイオンEM1号」、「サイオンEM2号」、「サイオンEM3号」、EM研究所製の商品名「EMW」、有限会社熱帯資源植物研究所製の商品名「EMX」を使用することができる。
【００３４】
（３）上記混合溶液４００ｃｃを容積２リットルのペットボトルに入れ、それに４０〜５０℃に加温した米のとぎ汁１５００ｃｃを添加して攪拌混合した後、１〜３日間養生させる。これにより、実施例１で使用するＥＭ原液ができる。
【００３５】
（４）ＥＭ原液２リットルに対して、植物エキス抽出液６〜１２ｍｌと深層水活力剤３０〜６０ｍｌを添加して混合し、付着剤を製造する。ここで、本実施例において、植物エキス抽出液としては、ＨＢ１０１（商品名；株式会社フローラ製）を使用した。このＨＢ１０１は、植物活力液として市販されているものであり、スギ、ヒノキ、マツ、及びオオバコのエキスを抽出生成した植物エキス抽出液を成分とする。また、本実施例において、深層水活力剤としては、液肥として市販されているアイリスオーヤマ株式会社製の「深層水活力剤」を使用した。この「深層水活力剤」は、マグネシウム、カルシウム、ナトリウム、カリウムなどの海洋深層水の天然ミネラルを豊富に含んだ溶液である。
【００３６】
本実施例に係る付着液の成分である植物エキス抽出液は、ＥＭ原液中に生息する各種有用微生物のエサとなる。また、植物エキス抽出液に含まれる植物性油脂成分は、洗濯物等の素材の表面に付着して薄い被膜を形成する。この被膜は、素材の艶やヌメリ感を出すのに寄与する。また、素材の表面を保護する保護膜ともなり、素材表面が腐食又は変質しないように保護する。更に、皮製品などの素材では、当該製品が含む油脂成分が外部に溶出して乾涸らびたような状態となることを防止する。
【００３７】
また、本実施例に係る付着液の成分である深層水活力剤に含まれるミネラルは、ＥＭ菌にミネラル栄養源として利用され、ＥＭ菌の働きを活性化する。これにより、ＥＭ菌による酵素の生成が活性化される。
【００３８】
尚、本実施例に係る付着剤は、ドライ・クリーニングにおいて洗濯物を保護するための添加剤として使用される他、ガラスの表面にコーティングしてガラスを汚れや曇りから保護する保護剤などとしても使用することができる。
【実施例２】
【００３９】
実施例２に係る付着剤は、基本的には実施例１と同様に製造されるが、上記実施例１の製造工程（４）でＥＭ原液に添加する植物エキス抽出液として、ＨＢ１０１の代わりにマツの葉、タケ又はササの桿、及びミカンの葉に水を加えて煮沸することにより抽出された抽出液を使用した。このような植物エキス抽出液を使用しても、実施例１と同様にＥＭ菌の活性効果、素材の表面の皮膜保護効果を得ることができることが、実験によって実証された。
【実施例３】
【００４０】
実施例３に係る付着剤を使用したドライ・クリーニング用洗剤は、上記実施例１又は２の製造工程（４）で作られる付着剤２００ｃｃに対して、ドライ・ソープ１７００ｃｃを混合することにより製造される。このドライ・クリーニング用洗剤は、１３ｋタイプのドライ機における１回の洗濯で、通常のドライ・クリーニング洗浄液にドライ・クリーニング用洗剤を３０〜４０ｃｃ添加して使用する。洗濯方法は、通常のドライ・クリーニングの場合（例えば、特許文献１の〔従来の技術〕参照）と同様である。
【００４１】
本発明者は、このドライ・クリーニング用洗剤を用いて、実際のドライ・クリーニングによって衣類の洗濯を行った。その結果、従来のＥＭ菌配合ソープを使用した場合に比べ、洗濯後の衣類の風合い、柔軟性が良好であることが見いだされた。
【００４２】
実際に、衣類に対してドライ機で５３０回転の洗濯を行った結果、衣類の損傷は１度も見られず、風合い、色合いが維持されることが実証された。また、従来、時々見られたような、ボタンの割れや金属製のファスナー部分の損傷が全く見られなくなった。これは、上述したような植物油脂成分による皮膜保護効果によるものと考えられる。
【００４３】
また、特に皮製の衣類や塩化ビニル樹脂製の衣類では、植物エキス抽出液に含まれる植物油脂成分による皮膜保護効果が顕著に見られ、皮製品では、洗濯後の衣服のしっとり感がよく、塩化ビニル樹脂製品では、衣服表面のひび割れや剥がれが生じないことが実証された。従って、本実施例のドライ・クリーニング用洗剤を使用すれば、皮製の衣類や塩化ビニル樹脂製の衣類であっても、現物のままドライ・クリーニングを行うことが可能となる。
【００４４】
更に、ＥＭ菌が生産する酵素のタンパク質や脂肪の分解作用により、ドライ洗浄液の酸化・劣化が起こりにくくなり、ドライ洗浄液の再利用回数を増やすことができることが分かった。